(57)【要約】【課題】  前面扉を閉じた場合に、前面扉と遊技盤保持枠もしくは前面扉と遊技盤との位置決めが精度よく行え、それぞれをガタツキ少なく係止できる遊技機を提供する。【解決手段】  前面扉１３に十字型の溝１７ｃを有する凹形状の扉嵌合部材１７ａを設け、遊技盤保持枠１２には十字型の突起１７ｄを有する凸形状の保持枠嵌合部材１７ｂを設け、前面扉１３を遊技盤保持枠１２に向けて閉じた場合に、保持枠嵌合部材１７ｂの上下方向の突起１７ｄの外面が扉嵌合部材１７ａの上下方向の溝１７ｃの内面にそれぞれの根元近傍において接触するように嵌合されて、前面扉１３が遊技盤保持枠１２にたいして精度よく位置決めされるとともにガタツキ少なく係止されるようにした。【選択図】        図５
2007044061.tif 000002
【特許請求の範囲】
【請求項１】
遊技盤が枠内部に組み込まれた遊技盤保持枠が遊技機本体に着脱可能に装着され、前記遊技盤を露呈する透明窓を備えた前面扉が前記遊技盤保持枠に開閉自在に軸着された遊技機において、
前記前面扉を閉じた場合に、前記前面扉と前記遊技盤保持枠もしくは前記前面扉と前記遊技盤とを互いに係止させる少なくとも一対の嵌合部材を、前記前面扉と前記遊技盤保持枠もしくは前記前面扉と前記遊技盤とに設けたことを特徴とする遊技機。
【発明の詳細な説明】
【技術分野】
【０００１】
本発明は、遊技場に設置して使用されるパチンコ機などの遊技機に関するものである。
【背景技術】
【０００２】
一般にパチンコ機を含む遊技機は、遊技に基づいて作動する装置を遊技状態に応じて作動制御する制御装置などが設けられた遊技機本体枠、遊技機本体枠の前面側に設けられ遊技者にゲーム上の特典を付与するための少なくとも入賞口や役物を備えた遊技領域が設けられた遊技盤、遊技機本体枠の前面側に開閉自在に取り付けられ遊技機本体枠の前面側の少なくとも遊技領域を覆うガラス窓が取り付けられた前面扉、が設けられている。遊技者が遊技を行う場合は、遊技場の管理者の管理の下に前面扉が閉じられていて、遊技盤に設けられた遊技領域はガラス窓を透して可視可能なように覆われており、外部から遊技盤に触れることができないようになっている。
【０００３】
一方、遊技機は、遊技の興趣に変化を与えて顧客の確保を図るために頻繁に機種の入れ替えが行なわれたり、部品の不具合などによって部品の交換を余儀なくされることがある。このために、前面扉、ガラス窓、遊技盤、を備える遊技盤ユニットが遊技機本体枠に対して着脱可能な構造となっている（特許文献１）。例えば、ガラス窓は前面扉に着脱可能であり、前面扉及び遊技盤は遊技機本体枠の内部に着脱可能な遊技盤保持枠に着脱可能であり、ガラス窓、前面扉及び遊技盤が取り付けられた遊技盤保持枠は遊技盤ユニットとして遊技機本体枠内の内部に着脱可能となっている。
【０００４】
遊技盤保持枠には遊技盤が組み込まれて、回動式のロックなどの締結部材で係合されるが、前面扉及び遊技盤が取り付けられた遊技盤保持枠は前面扉を閉じた状態で遊技盤ユニットとして持ち運びが可能なように取っ手などが設けられている。そして、遊技盤保持枠は遊技機本体枠の内面に接して嵌め込まれて、回動式のロックなどの締結部材によって遊技機本体枠と係合される。ガラス窓は前面扉に対して、前面扉は遊技盤保持枠に対してそれぞれ開閉可能にヒンジなどによって取り付けられている。通常、前面扉はガラス窓が閉じた状態で遊技盤を覆うように閉じられるが、例えば、特許文献２に提案されるようなカギフックで遊技機本体枠に対して係合されるとともに専用の鍵で施錠され、遊技場の管理者によって管理されている。従って、遊技者はガラス窓を透して遊技領域における遊技の様子を観察しながら遊技を行うが、外部から遊技盤に直接触れることはできない。遊技中に遊技機もしくは遊技そのものに何らかの支障が発生した場合は、遊技者が遊技場の管理者を呼び、管理者が専用の鍵で施錠された前面扉を開放して処置する。処置後は再び前面扉を閉めて施錠される。
【特許文献１】特開２００５−０２１６５０号公報
【特許文献２】特開２００５−００６９４１号公報
【発明の開示】
【発明が解決しようとする課題】
【０００５】
しかしながら、従来のこの種の遊技機では、前面扉を鍵だけで施錠して閉じる構造となっているため、前面扉が遊技機本体枠もしくは遊技盤保持枠に対して必ずしも位置決めが十分ではなく、また、老朽化又は遊技盤ユニットの搬送などでガタツキが発生して前面扉と遊技機本体枠もしくは遊技盤保持枠との間に隙間ができてしまうという欠点があった。このために、遊技者の中には、その隙間から針金等の異物を挿入して不正行為を働き不正に景品を得ようとするものが散見されるという問題があった。
【０００６】
本発明は、上記課題を解決するためになされたものであり、前面扉と遊技盤保持枠もしくは前面扉と遊技盤に少なくとも一対の嵌合部材を設けて、前面扉を閉じたときに前面扉と遊技盤保持枠もしくは前面扉と遊技盤との位置決めが精度よく行え、それぞれをガタツキ少なく係止できるので、老朽化又は遊技盤ユニットの搬送などをしても前面扉のガタツキが発生し難い遊技機を提供することを目的とする。
【課題を解決するための手段】
【０００７】
上記目的を達成するために、本発明の遊技機は、遊技盤が枠内部に組み込まれた遊技盤保持枠が遊技機本体に着脱可能に装着され、前記遊技盤を露呈する透明窓を備えた前面扉が前記遊技盤保持枠に開閉自在に軸着された遊技機において、前記前面扉を閉じた場合に、前記前面扉と前記遊技盤保持枠もしくは前記前面扉と前記遊技盤とを互いに係止させる少なくとも一対の嵌合部材を、前記前面扉と前記遊技盤保持枠もしくは前記前面扉と前記遊技盤とに設けたことを特徴とする。
【発明の効果】
【０００８】
本発明の遊技機は、前面扉と遊技盤保持枠もしくは前面扉と遊技盤に少なくとも一対の嵌合部材を設けて、前面扉を閉じた場合に、前面扉と遊技盤保持枠もしくは前面扉と遊技盤との位置決めが精度よく行え、それぞれをガタツキ少なく係止できるので、前面扉と遊技盤保持枠との間もしくは前面扉と遊技盤との間に隙間が生じ難くすることができる。
【発明を実施するための最良の形態】
【０００９】
以下、本発明の実施形態を図面を参照して説明する。なお、本発明はパチンコ機に限らず遊技場に設けられたスマートボールやスロットマシンなどの遊技機に適応可能であるが、本実施例ではパチンコ機を例として説明する。図１はパチンコ機１０の前面扉１３を開放した状態の概観を示している。パチンコ機１０の本体枠（遊技機本体枠）１１の内側に遊技盤保持枠１２が取り付けられていて、その遊技盤保持枠１２の内側には遊技領域１４の設けられた遊技盤１５が組み込まれている。遊技盤１５の下方のパチンコ機１０の本体前面には、遊技を行うための遊技媒体（パチンコ球）を貯留させておく受け皿１８やパチンコ球を遊技領域１４に向けて発射させるための操作ハンドル１９などが設けられている。
【００１０】
前面扉１３はパチンコ機１０の前面に向かって左端側がヒンジ２０によって遊技盤保持枠１２に開閉自在に取り付けられていて、前面扉１３にはガラス窓１３ａがヒンジ２１によって開閉自在に取り付けられている。ガラス窓１３ａは、前面扉１３の裏面側からガラス窓枠１３ｃに押し当てられて、前面扉１３に取り付けられているガラス窓係止部材１３ｂによって前面扉１３に固定される。
【００１１】
前面扉１３のヒンジ２０が設けられている側の反対側には鍵１６ａ及び鍵１６ａの上下方向に係止片１６ｂが設けてあって、ヒンジ２０を軸にして前面扉１３を回動させて本体枠１１に向けて閉じたときに、係止片１６ｂが、本体枠１１の対応する位置に設けられたカギフック１６ｄと係合されるとともに、遊技盤保持枠１２に設けられた鍵受穴１６ｃ（図２）に前面扉に設けられた鍵１６ａが挿入され、本体枠１１の鍵受部１６ｆとのロックが行われる前面扉１３の前面に設けられた鍵穴（図示しない）から専用の鍵（図示しない）を差し込んで回転させ施錠することができるようになっている。また、前面扉１３の鍵１６ａの上方及び遊技盤保持枠１２の鍵受穴１６ｃの上方には前面扉１３を閉じたときに遊技盤保持枠１２とガタツキ少なく係止されるように一対の嵌合部材１７が設けてある。前面扉１３には凹形状の扉嵌合部材１７ａが、遊技盤保持枠１２には凸形状の保持枠嵌合部材１７ｂが設けられていて、前面扉１３を閉じると鍵１６ａが鍵受穴１６ｃに挿入されるとともに凸形状の保持枠嵌合部材１７ｂが凹形状の扉嵌合部材１７ａに嵌るように構成されている。
【００１２】
遊技者が遊技を行う場合は、遊技場の管理者の管理の下に前面扉１３は閉じられていて、施錠されている。遊技者は、操作ハンドル１９によってパチンコ球を１発ずつ遊技領域１４に向けて発射させて遊技を行うが、遊技の様子はガラス窓１３ａを透して可視させるものであって、パチンコ機１０の外部から遊技盤１５に触れることはできない。
【００１３】
図２には、扉嵌合部材１７ａ及び保持枠嵌合部材１７ｂの設けられた部分を円で囲んで拡大して示すとともに遊技盤１５が遊技盤保持枠１２に取り付けられる様子を示している。図に示すように、遊技盤１５は、前面扉１３が軸支された遊技盤保持枠１２に対して遊技盤保持枠１２の枠内部に設けられた回動式のロック３０に遊技盤１５に設けられた係止孔３２ａを嵌め込み、回動式ロック３０を９０度回転させて固定される。遊技盤１５を遊技盤保持枠１２に組み込んだ後、前面扉１３を閉じて持ち運ぶことができるように、遊技盤保持枠１２の上部には取って１２ａが設けてあり、そして、持ち運ぶときに前面扉１３が開放されないように鍵１６ａが鍵受穴１６ｃに挿入された後鍵受穴１６ｃの下方に設けられた回動式のフック１６ｅを回転させて鍵１６ａの溝にはめて固定できるようになっている。
【００１４】
図３に示すように、遊技盤１５と前面扉１３と遊技盤保持枠１２とを備える遊技盤ユニットを本体枠１１に組み込むには、本体枠１１の内部の基盤１１ａに遊技盤保持枠１２をあてがいながら遊技盤保持枠１２に設けられた係止孔３２ｂを本体枠１１に設けられた回動式ロック３１に嵌め込み、回動式ロック３１を９０度回転させて固定する。
【００１５】
上記のように構成されたパチンコ機１０の動作を説明する。前面扉１３はヒンジ２０を回転軸として回動されるが、鍵１６ａ及び嵌合部材１７ａはヒンジ２０からの距離Ｌを半径とした円弧を描いて遊技盤保持枠１２に設けられた鍵受穴１６ｃ及び保持枠嵌合部材１７ｂに挿入される。そのため遊技盤保持枠１２に設けられた鍵受穴１６ｃは鍵１６ａの先端部の直径より大きい直径の孔となっていて、鍵１６ａが鍵受穴１６ｃに挿入されたあとに本体枠１１の鍵受部１６ｆとのロックがされやすくなっている。前面扉１３と遊技盤保持枠１２とは、上下方向に延びる軸と軸孔で構成されるヒンジ２０で嵌合されているため、従来のパチンコ機のように鍵１６ａが鍵受穴１６ｃに単に挿入されるだけであると、特に上下方向に前面扉１３のガタが生じ易くなっている。また、遊技盤ユニットのみの搬送の場合には前面扉１３が遊技盤保持枠１２から開放されないようにする固定部材を取り付ける手間が必要となる。嵌合部材１７によって、このガタツキを防止することができる。
【００１６】
図４は本発明の嵌合部材１７の概観を斜視図で示している。嵌合部材１７は、例えば十字型の凹形状の溝１７ｃを有する扉嵌合部材１７ａと十字型の凸形状の保持枠嵌合部材１７ｂとで構成されていて、扉嵌合部材１７ａは台座１７ｅによって前面扉１３に取り付けられ、保持枠嵌合部材１７ｂは台座１７ｆによって遊技盤保持枠１２に取り付けられる。それぞれの取り付け方は図示しないが、台座１７ｅに設けられた孔１７ｇ及び台座１７ｆに設けられた孔１７ｈを用いてネジなどの締結部材で固定される。
【００１７】
扉嵌合部材１７ａの上下左右の溝１７ｃの幅は保持枠嵌合部材１７ｂの上下左右の突起１７ｄの先端部の幅よりやや広い溝となっていて、扉嵌合部材１７ａの上下方向の溝の高さＨ１は保持枠嵌合部材１７ｂの上下方向の突起の高さＨ２とは丁度根元近傍１７ｊの部分が接触して嵌合されるように形成されており、溝１７ｃの左右の長さＬ１は突起１７ｄの左右方向の突起の根元近傍の長さＬ２よりやや大きく形成されている。従って、前面扉１３をヒンジ２０を回転軸として遊技盤保持枠１２に向けて閉じたときに、左右方向の溝１７ｃと突起１７ｄとの間には隙間が形成されて嵌合されるが、上下方向の溝１７ｃと突起１７ｄとはその根元近傍１７ｊで溝１７ｃの内面と突起１７ｄの外面が接触して隙間がほとんど発生せずに嵌合される。従って、前面扉１３を遊技盤保持枠１２に向けて閉じると、鍵１６ａが鍵受穴１６ｃに、保持枠嵌合部材１７ｂの十字型の突起１７ｄが扉嵌合部材１７ａに設けられた十字型の溝１７ｃに嵌って前面扉１３と遊技盤保持枠１２とが係止されるが、前面扉１３と遊技盤保持枠１２との間における上下のガタツキは生じない。扉嵌合部材１７ａの左右の溝の幅ｗ１を保持枠嵌合部材１７ｂの左右の突起の幅ｗ２とほぼ同じにして溝の内面が突起の外面とその根元近傍で接するように形成しておけば更にガタツキの少ない嵌合が可能である。
【００１８】
図５には、前面扉１３が閉じられて遊技盤保持枠１２に係止された状態を断面図を用いて示している。図５が示すように、扉嵌合部材１７ａの上下方向の溝１７ｃの内面と保持枠嵌合部材１７ｂの上下方向の突起１７ｄの外面とがその根元近傍１７ｊで接触して嵌合しているため、扉嵌合部材１７ａと保持枠嵌合部材１７ｂとの上下方向の間は密着されて嵌合されており、特に上下方向の前面扉１３のガタツキが発生しにくくなっている。また、扉嵌合部材１７ａと保持枠嵌合部材１７ｂとは保持枠嵌合部材１７ｂの根元近傍１７ｊでのみ接触するように構成されているので、前面扉１３を閉じるときには抵抗が少なく閉じることができる。このように前面扉１３と遊技盤保持枠１２とがガタツキなく係止されるので、例えば、遊技盤１５を遊技盤保持枠１２に組み込んで、遊技盤保持枠１２に前面扉１３を取り付けて前面扉１３を閉じた状態の新規の遊技盤ユニットを持ち運ぶときにも、前面扉のガタツキがないので、前面扉が不用意に開放されてしまうことも防止できる。
【００１９】
図６には、嵌合部材１７を前面扉１３と遊技盤１５とに設けた場合を示している。ガラス窓１３ａの矢印Ａで示す下端角部を削って、ガラス窓１３ａは遊技領域１４を覆うが遊技盤１５の矢印Ｂで示す部分は覆わないようにガラス窓１３ａを加工する。そして、ガラス窓１３ａの下端角部を削った結果として前面扉１３に形成されたスペースに扉嵌合部材１７ａを取り付け、その対応する遊技盤１５の矢印Ｂで示す位置に遊技盤嵌合部材１７ｉを設ける。遊技盤１５は遊技盤保持枠１２に固定されているので、前面扉１３を閉じたときに、扉嵌合部材１７ａが遊技盤嵌合部材１７ｉと嵌合してガタツキの少ない嵌合が可能である。嵌合部材の形状は図４で示した形状と同じでよい。
【００２０】
上記のように、本発明の遊技機（パチンコ機）は、前面扉と遊技盤保持枠もしくは前面扉と遊技盤とを係止させる少なくとも一対の嵌合部材を前面扉と遊技盤保持枠もしくは前面扉と遊技盤とに設けることにより、前面扉を閉じたときに前面扉と遊技盤保持枠もしくは前面扉と遊技盤とが適正な位置に案内された閉鎖状態となる。また、ガタツキ少なく係止されるので、前面扉と遊技盤保持枠との間には隙間が形成されにくく、従って遊技者が針金等の異物を隙間から挿入して不正を働くという行為を防止することができる。また、新規の遊技盤保持枠ユニットを運搬するときに不用意に前面扉が開放されてしまうということも防止できる。
【００２１】
なお、上記の実施例では、本発明の嵌合部材が一対の場合を示したが、より嵌合性を高めるためには２対以上でもよいし、前面扉と遊技盤保持枠及び前面扉と遊技盤の双方に嵌合部材を設けてもよい。また、嵌合部材の凹形状の方を前面扉に、凸形状の方を中枠に設けたが、この逆でもよい。
【００２２】
また、嵌合部材の形状を一対の十字型の溝を有する凹形状のものと十字型の凸形状のものとしたが、ガタツキの無い嵌合が可能であればこの形状に限るものではない。
【図面の簡単な説明】
【００２３】
【図１】本発明のパチンコ機の外観を示す斜視図である。
【図２】本発明のパチンコ機に遊技盤を装着するところを示す斜視図である。
【図３】本発明のパチンコ機に遊技盤が装着された遊技盤保持枠を遊技機本体枠に装着するところを示す斜視図である。
【図４】本発明の一対の嵌合部材を示す斜視図である。
【図５】本発明の嵌合部材が嵌合した様子を示す断面図である。
【図６】本発明の嵌合部材を前面扉と遊技盤とに設けたことを示す斜視図である。
【符号の説明】
【００２４】
１０      パチンコ機
１１      パチンコ機本体枠
１２      遊技盤保持枠
１２ａ    取っ手
１３      前面扉
１３ａ    ガラス窓
１４      遊技領域
１５      遊技盤
１６ａ      鍵
１６ｂ    係止片
１６ｃ    鍵受穴
１６ｄ    カギフック
１６ｅ    フック
１６ｆ    鍵受部
１７      嵌合部材
１７ａ    扉嵌合部材
１７ｂ    保持枠嵌合部材
１７ｉ    遊技盤嵌合部材
【図１】
2007044061.tif 000003
【図２】
2007044061.tif 000004
【図３】
2007044061.tif 000005
【図４】
2007044061.tif 000006
【図５】
2007044061.tif 000007
【図６】
2007044061.tif 000008